(57)【要約】【課題】  着用時にフィット感のある衣類の製作、ディスプレー、プレゼンテーション、着用方法の教育に使うための人体と同様の質感のある人台ボディを提供するものである。及び、筋肉・体脂肪の流れの教材に提供するものである。【解決手段】  人台ボディの表面に身体の体脂肪に近い素材を設けたものである。人台ボディの表面を柔らかくすることによって圧力をかけた時、人台表面の浮き沈みが生じる。又、人台ボディの表面に流動性をもたせる事によって体脂肪を移動させ、フィット感のある衣類の中で固定させることができる。そして、衣類を外した時は元の状態にもどる人台ボディである。【選択図】  図４
2007009384.tif 000002
【特許請求の範囲】
【請求項１】
人台ボディの表面に人体に近い素材を使用することで、フィット感のある衣類を着用させた時、人間が着用した時と同じ形態が確認できる。
【請求項２】
人体の頭部、顔部、胴体部、手足部。
【請求項３】
肉質の違いや骨格、体型の変化に対応できるようにしたものである。
【請求項４】
衣類を製作する時に人体と同じ感覚、形態で確認、製作する事ができるようにしたものである。
【請求項５】
フィット感のある衣類（ファンデーション、水着、スポーツ衣料、サポーター、マスク、手袋、靴下など）特にファンデーションは身体を美しく補整をする機能があり、着用時に身体の体脂肪を移動させて体型補整をします。これと同様に人台ボディの表面を移動させる事ができるようにしたものである。また、衣類を脱いだ時は元の状態にもどすことができるようにしたものである。
【請求項６】
商品の機能・効果や筋肉・体脂肪の流れをディスプレー・プレゼンテーションする場合、人の身体（モデル）を使用した時と同じ説明ができる。
【請求項７】
商品の着用方法や筋肉・体脂肪の流れを教育する場合、人の身体（モデル）を使用した時と同じ指導・練習ができ、教材として提供できる。
【発明の詳細な説明】
【技術分野】
【０００１】  本発明は、着用時にフィット感のある衣類（ファンデーション、水着・レオタード・サポーターなどのスポーツ衣料、身体を覆うもの）の製作、ディスプレー、プレゼンテーション、着用方法の教育に使うための人体と同様の質感のある人台ボディを提供するものである。及び筋肉、体脂肪の流れの教材に提供するものである。
【背景技術】
【０００２】  一般に人台ボディは衣類の製作、ディスプレー、プレゼンテーションなどの目的で使用されるが、その表面が硬いためフィット感のある衣類を着用させた時、実際に人間が着用する常態が確認できない。それは身体が柔らかく伸縮素材から構成されている衣類を着用するとその圧力により体の表面が陥没し段差を生じている。しかし、そのことが判らず間違いが発生してしまいます。【０００３】  一般的に外衣料用の人台ボディはヌード寸法に日常生活の必要なゆとりとアイテム毎に必要なゆとりを付加してあり、内衣料用の人台ボディはヌード寸法に日常生活の必要なゆとりを付加してあります。どちらも表面は硬く、プラスチック、木材、発泡スチロールなどの素材が主流である。又、ピンワークが出来るように綿を張り、その上に布を張った物も主流となっている。いずれも表面は身体の柔らかさは無く、着圧による身体の変形が判らないため障害が発生している。
【発明の開示】
【発明が解決しようとする課題】
【０００４】  そのため、人の身体（モデル）を使い、形状変化のモニターチェック、確認を行っている。しかし、長短期に渡り行う場合が多く、体重・体型を維持するのが難しく安定して検討する事ができない。【０００５】  また、その製品は複数のパーツから構成されている場合が多く、それぞれのパワー・材質・附属の違いにより生じる着圧の差が、人台ボディと人の身体では体型変化に相違が生じるため正しく認識できない。【０００６】  ファンデーション（下着）のような補整効果のある衣類やサポーターのようなマッサージ効果のある衣類は体脂肪を移動させて着用するため、その効果の確認が出来ないという難点もあった。【０００７】  硬い人台ボディ（マネキン）に製品を着用させた時、沿いが悪く違和感がある。【０００８】  図１−（ａ）（ｂ）（ｃ）は▲１▼従来の人台ボディ。
一般に人台ボディは衣類の製作、ディスプレー、プレゼンテーションなどの目的で使用されるがその表面は硬い。
▲１▼のボディは、プラスチック、木材、発泡スチロールなどの硬い材質で作られている。
（ａ）（ｂ）−１はバージスラインで乳房の周りを表し、メリハリがついている場合が多い。
（ａ）（ｂ）−２はウエストライン。（ａ）（ｂ）−３はヒップライン。
（ａ）（ｂ）−４は脚ぐりライン。【０００９】  図１−（ｅ）（ｆ）（ｇ）は▲２▼人の身体。
▲２▼の自然な状態では美しい体形の人もいるが、乳房が下垂しヒップが潰れている人も多い。（ｅ）（ｆ）（ｇ）の１〜４はメリハリが少なく位置を見つけるのは難しい。【００１０】  図２−（ａ）（ｂ）（ｃ）は▲１▼従来の人台ボディに下着を着用したところである。ブラジャーのバージスラインにワイヤー（金属、樹脂など針金状の硬いもの）が入っている場合が多く、人台ボディのバージスラインに沿わない時は不自然である。下着はストレッチ素材のため伸ばして着用するが、人台ボディが硬いため、表面に沿ってしまい着圧の強弱が判らない。５はアンダーバスト位置、６はウエスト位置であるが、ゴム状の強化素材を使用する場合が多いのだが、着圧の強弱が判らない。７の脚口、８のストラップ位置も同様に異素材や異着圧を使用するが、強弱の判断がつかない。【００１１】  図２−（ｅ）（ｆ）（ｇ）は▲２▼人の身体に下着を着用したところである。
ストレッチ性を持たせ人の身体より小さく設計されているため、柔らかい人の体に着用させると、くい込み段差がいく場合が多い。
（ｅ）（ｆ）（ｇ）は身体にくい込んでいる状態である。
従来の人台ボディ（ａ）（ｂ）（ｃ）では実際の状態が再現されないため、確認できない不便さがある。【００１２】  図３−（ｃ）（ｄ）は▲１▼従来の人台ボディに下着を着用したところである。
（ｄ）は人台ボディの腕である。
（ｃ）のウエストが太い場合は、９のフックが止められず着用することが出来ない。
（ｄ）は図２の（ａ）（ｂ）（ｃ）同様ボディに沿って着用される。【００１３】  図３−（ｇ）（ｈ）は▲２▼人の身体に下着を着用したところである。（ｈ）は人の腕である。しかし、（ｇ）は９のフックが止まり着用することができる。それは、人の身体は柔らかいため体脂肪が移動したからである。
（ｈ）は図２の（ｅ）（ｆ）（ｇ）同様身体にくい込んで着用される。（ｄ）と（ｈ）の相違は人台ボディの硬さと身体の柔らかさの違いであり、（ｄ）は沿いや着圧の強弱が判らない。
以上のように従来人台ボディと人の身体での結果の相違を事前に考慮するのは困難である。【００１４】  バージスライン、乳房の形、位置は流動性があり、且つ、流行（デザイン）・付属（資材）により様々である。用途別に人台ボディを作成する事は、費用ももかかる。又、管理するのも大変である。一定の人台ボディに着用させると製品の沿いが悪く正しく評価されない。【００１５】  年代による（ジュニア・ミス・ミセス・シニア）肉質（硬い・柔らかい）の違いや体型の変化、更に、地域による特長が判らない。【００１６】  また、商品の機能・効果の説明は、人の身体では性別・年齢など制約があり広く公開することが難しい。【００１７】  商品の着用方法や裸の状態での筋肉・体脂肪の流れを教育するために、人の身体を使用して指導しているためプライバシーが損なわれ、衛生面の問題も生じている。【００１８】  本発明は、このような従来の構成が有していた問題を解決しようとすることを目的とするためのものである。
【課題を解決するための手段】
【００１９】  上記目的を達成するために、本発明は人台ボディの表面に身体の体脂肪に近い素材を設けたものである。【００２０】  人台ボディの表面を柔らかくすることによって圧力をかけた時、人台表面の浮き沈みが生じる。【００２１】  人台ボディの表面に流動性をもたせる事によって体脂肪を移動させ、フィット感のある衣類の中で固定させることができる。そして、衣類を外した時は元の状態にもどる。
【発明の効果】
【００２２】  以上の説明から明らかな通り、本発明の人体ボディを使用すれば、フィット感のある衣類のスローパーを製作したり、製品を着用させた時、実際に人間が着用している体形と同様に変化しているのが確認できるため、製品作りに役立ち、また、間違いが起きない。【００２３】  更に、人台の表面を移動させる事ができるため、フィット感のある衣類を製作する時、補整効果を確認しながら製品の製作を行うことができる。より高度な製品作りに役立つ。また、衣類を脱いだ時は元の状態にもどすことができるので何度でも繰り返し使用する事ができる。【００２４】  人台ボディのため体型・体重の変化がなく、安定した製品作りが可能である。更に、実際の着用時と同じ体形が維持できる安心感がある。【００２５】  年代による肉質（硬い・柔らかい）の違いや体型の変化、更に、地域による特長を盛り込むことによって、高度な情報を利用する事ができる。【００２６】  身体に類似した人台ボディのためディスプレー時は、美しく自然で商品価値が向上する。【００２７】  プレゼンテーション時は製品の特長が生かされ補整効果が確認できるため販売促進に繋がる。
特にファンデーションのような補整効果のある衣類やサポーターのようなマッサージ効果のある衣類は、体脂肪を移動させて着用するため、美容と健康の効果を表現できる。【００２８】  着用方法や補整方法、裸の状態での筋肉・体脂肪の流れの指導を行う時、人の身体（モデル）を使わないため、プライバシーの問題・性別・年齢を問わず、広く公共の場で利用できる。
更に、汗なども出ないため衛生面が良く、指導・練習の教材として使用できる。
【発明を実施するための最良の形態】
【００２９】  人台ボディの表面をシリコン、樹脂、ゴム、ウレタン、ウーリーな繊維、ビーズなどのような身体の肉質に近い素材で構成する。【００３０】  その素材は、流動性と反発性があり通常時は保型力がある。【００３１】  図４−（ｉ）は▲３▼発明の人台ボディに下着を着用したところである。
身体表面に類似しているため、（ｆ）▲２▼人の身体に着用した時と同じで結果である事が判る。締め付け感の強いところは１０〜１３（ゴムなどの附属で補強している）の位置で段差が生じている。また、１４のバスト位置や１５のヒップ高さ位置も（ｉ）と（ｆ）は同じである。自然着用の様子が人の身体を使わず再現できる。【００３２】  ファンデーションの役割は、単に締め付けるだけではなく、体型を整え美しいプロポーションを作ることです。そのため、図４−（ｆ）▲２▼人の身体の着用後に出来る余分な体脂肪を移動させ、１０〜１２の段差を無くし、美しく補整できているのが図４−（ｆ−＊）である。更に、下垂した乳房１４や潰れ下垂したヒップ１５を美しく補整し、▲２▼人の身体（ｆ−＊）乳房１４−＊やヒップ１５−＊を丸く位置を高くし、メリハリのある美しいプロポーションを作ります。また、目的に応じた形ができる。１３のストラップ位置は補整を維持するために、きつくくい込んでいないか、ゆるくてずれないかを判断するため、素材や長さを検討する事ができる。
図４−（ｆ＋ｆ−＊）は（ｆ）の自然着用と（ｆ−＊）の体脂肪の移動後を重ねた図である。細い線が自然着用、太い線が体脂肪の移動後であるが、体型変化している事が良く判る。【００３３】  図４−（ｉ−＊）は▲３▼発明の人台ボディにおいても上記同様、着用後に類似した体脂肪を移動させることができる。
図４−（ｉ＋ｉ−＊）は（ｉ）の自然着用と（ｉ−＊）の体脂肪の移動後を重ねた図である。細い線が自然着用、太い線が体脂肪の移動後であるが、体型変化している事が良く判る。【００３４】図４−（ｉｆ−＊）は（ｉ−＊）と（ｆ−＊）を重ねた図であるが、同じ体型である事が良く判る。
【図面の簡単な説明】
【００３５】
【図１】▲１▼は従来の人台ボディを示す（ａ）前面図・（ｂ）側面図・（ｃ）後面図である。▲２▼は人の身体を示す（ｅ）前面図・（ｆ）側面図・（ｇ）後面図である。
【図２】▲１▼は従来の人台ボディに下着を着用した（ａ）前面図・（ｂ）側面図・（ｃ）後面図である。▲２▼は人の身体に下着を着用した（ｅ）前面図・（ｆ）側面図・（ｇ）後面図である。
【図３】▲１▼は従来の人台ボディに下着を着用した（ｃ）後面図・（ｄ）腕である。▲２▼は人の身体に下着を着用した（ｇ）後面図・（ｈ）腕である。
【図４】▲３▼は本発明ボディに下着を着用し、自然な状態での（ｉ）側面図である。▲２▼は人の身体に下着を着用し、自然な状態での（ｆ）側面図である。▲３▼は本発明ボディに下着を着用し体脂肪移動した（ｉ−＊）側面図である。▲２▼は人の身体に下着を着用し、体脂肪移動した（ｆ−＊）側面図である。（ｉ＋ｉ−＊）、（ｆ＋ｆ−＊）は自然・体脂肪移動の重ね側面図である。（ｉｆ−＊）は体脂肪移動後の▲３▼と▲２▼の重ね側面図である。
【符号の説明】
【００３６】１  バージスライン（乳房の周り）
２  ウエストライン
３  ヒップライン
４  脚ぐりライン
【図１】
2007009384.tif 000003
【図２】
2007009384.tif 000004
【図３】
2007009384.tif 000005
【図４】
2007009384.tif 000006